(57)【要約】      （修正有）【課題】記録中に開いた状態で使用される開閉部が、記録中に閉じた状態になることを確実に防止する記録装置を提供する。【解決手段】媒体に記録を行う記録ヘッドを備え、所定方向に往復動するキャリッジと、開閉する開閉部と、開閉部が閉じることを規制する規制部１２と、を備え、規制部１２は、キャリッジが非記録時に位置するホームポジションから、キャリッジが移動したことをトリガーとして規制動作を行う記録装置。【選択図】図３
2015186850.tif 000002
【特許請求の範囲】
【請求項１】
媒体に記録を行う記録ヘッドを備え、所定方向に往復動するキャリッジと、
開閉する開閉部と、
前記開閉部が閉じることを規制する規制部と、
を備え、
前記規制部は、
前記キャリッジが非記録時に位置するホームポジションから、当該キャリッジが移動したことをトリガーとして規制動作を行う、
ことを特徴とする、記録装置。
【請求項２】
請求項１に記載された記録装置において、
前記規制部は、
前記キャリッジがホームポジションに位置するときに、前記開閉部が閉じることを規制しない第１の位置に位置し、
前記キャリッジがホームポジションから移動すると、前記開閉部が閉じることを規制する第２の位置に進出するように、進退可能に構成されている、
ことを特徴とする、記録装置。
【請求項３】
請求項２に記載された記録装置において、
前記規制部の進退方向は前記キャリッジの往復動方向である、
ことを特徴とする、記録装置。
【請求項４】
請求項３に記載された記録装置において、
前記規制部を、前記第２の位置に進出する方向に付勢する付勢部材を備え、
前記規制部は、
前記キャリッジが前記ホームポジションに移動するときに、前記付勢部材の付勢力に抗して前記キャリッジと一体に前記第１の位置に移動するように構成されている、
ことを特徴とする、記録装置。
【請求項５】
請求項４に記載された記録装置において、
前記規制部は、
前記進退方向に移動する移動部材と、
前記移動部材を前記進退方向に移動可能に保持する保持部材と、を備え、
前記付勢部材は、
前記移動部材と前記保持部材との間に設けられる引張ばねである、
ことを特徴とする、記録装置。
【請求項６】
請求項３から５のいずれか一項に記載された記録装置において、
前記規制部は、
該規制部が進出したときに閉状態である開閉部を開方向へ移動させる傾斜面を備えている、
ことを特徴とする、記録装置。
【発明の詳細な説明】
【技術分野】
【０００１】
本発明は、記録装置に関するものである。
【背景技術】
【０００２】
近年、持ち運び可能なサイズのコンパクトな記録装置が普及している。このような記録装置では、一般的に、使用しないときは操作ボタン類や被記録媒体の排紙口が外観に現れないようなデザインとなっている。
【０００３】
例えば、給紙トレイが操作ボタン類等が配置される上面部のカバーを兼ね、前記記録装置を使用しないときは、前記給紙トレイを閉じることによって前記操作ボタン類を覆い隠すことができるように開閉可能に構成されている。また、排紙トレイが被記録媒体の排紙口のカバーを兼ね、記録装置を使用しないときには、前記排紙トレイを閉じることによって前記排紙口を覆い隠すことができるように開閉可能に構成されている。  
そして、それぞれ閉じられた状態の給紙トレイや排紙トレイは、前記記録装置の外観の一部を構成するようなデザインになっている。  
【０００４】
一方、前記記録装置を使用する際には、開閉する前記給紙トレイと前記排紙トレイは、開かれた状態で記録を開始する。  
しかし、例えば、前記排紙トレイを開け忘れたり、前記排紙トレイを開けて記録を開始した後に何らかの理由によって該排紙トレイが閉じられたりすることにより、当該排紙トレイが閉じた状態のまま記録動作が行われる場合がある。記録時に前記排紙トレイが閉じていると、記録後の被記録媒体が記録装置内に詰まった状態となってしまう。
【０００５】
この問題を解決するために、特許文献１には、給紙カバー８０３が開くことに連動して排紙口カバー８０４が開くように構成された記録装置が開示されている。
【先行技術文献】
【特許文献】
【０００６】
【特許文献１】特開２００４−１２２７１９号公報
【発明の概要】
【発明が解決しようとする課題】
【０００７】
しかし、例えば、一旦給紙カバー８０３に連動して排紙口カバー８０４が開かれ、記録を開始した後に、ユーザーによって排紙口カバー８０４が閉められる場合や、人や物がぶつかる等によって意図せず排紙口カバー８０４が閉じてしまう場合がある。この場合には、依然として記録装置内に被記録媒体の詰まりが生じてしまう。
【０００８】
そこで、本発明の目的は、記録中に開いた状態で使用される排紙口カバー等の開閉部が、該記録中に閉じた状態になることを確実に防止することにある。
【課題を解決するための手段】
【０００９】
上記課題を解決するため、本発明の第１の態様に係る記録装置は、媒体に記録を行う記録ヘッドを備え、所定方向に往復動するキャリッジと、開閉する開閉部と、前記開閉部が閉じることを規制する規制部と、を備え、前記規制部は、前記キャリッジが非記録時に位置するホームポジションから、当該キャリッジが移動したことをトリガーとして規制動作を行うことを特徴とするものである。
【００１０】
記録装置に設けられる開閉部は、使用しないときには閉状態にされ、使用時（記録時）に開状態にされる必要がある場合がある。例えば、このような開閉部としては、開閉する排紙トレイや給紙トレイが挙げられる。  
本態様によれば、非記録時に前記キャリッジが位置するホームポジション（以下、ＨＰと称する場合がある）から当該キャリッジが移動したことをトリガーとして、前記規制部の規制動作を行うので、前記キャリッジがホームポジションから移動した状態である記録時に、前記開閉部が閉じた状態になることを規制することができる。以って、当該開閉部が閉じたまま記録が行われることを防止することができる。
【００１１】
例えば、前記開閉部が記録紙等の媒体を排出する排紙トレイである場合には、該排紙トレイが閉じた状態で記録が行われることが防止されるので、閉じた排紙トレイによって前記媒体が記録装置内に詰まることを防ぐことができる。
【００１２】
本発明の第２の態様に係る記録装置は、第１の態様において、前記規制部は、前記キャリッジがホームポジションに位置するときに、前記開閉部が閉じることを規制しない第１の位置に位置し、前記キャリッジがホームポジションから移動すると、前記開閉部が閉じることを規制する第２の位置に進出するように、進退可能に構成されていることを特徴とするものである。
【００１３】
本態様によれば、構成簡単にして第１の態様の効果を得ることができる。
【００１４】
本発明の第３の態様に係る記録装置は、第２の態様において、前記規制部の進退方向は前記キャリッジの往復動方向であることを特徴とするものである。
【００１５】
本態様によれば、前記規制部の前記進退移動の方向が、前記キャリッジの往復動方向と同じであるので、前記キャリッジの往復移動の動きと、前記規制部の前記進退移動の動きとを機械的に連動させる構成を容易に実現することができる。  
尚、「規制部の進退方向」と「キャリッジの往復動方向」が「同じ」とは、全く同じ、すなわち完全に平行な状態に限るものではない。前記キャリッジの往復移動の動きを、前記規制部の進退移動の動きにそのまま伝達する機械的構成によって連動させることができる程度に、略同じであればよい。
【００１６】
本発明の第４の態様に係る記録装置は、第３の態様において、前記規制部を、前記第２の位置に進出する方向に付勢する付勢部材を備え、前記規制部は、前記キャリッジが前記ホームポジションに移動するときに、前記付勢部材の付勢力に抗して前記キャリッジと一体に前記第１の位置に移動するように構成されている、ことを特徴とするものである。
【００１７】
本態様によれば、前記規制部は、キャリッジが前記ホームポジションに移動するときに、前記付勢部材の付勢力に抗して前記キャリッジと一体に前記第１の位置に移動する。すなわち、前記キャリッジによって押された状態で前記第１の位置に位置している。  
一方、前記キャリッジがホームポジションから記録領域に移動して記録を行う際に、該キャリッジが前記規制部から離れ、該規制部は前記付勢部材の付勢力によって前記開閉部の開閉領域に進出する。
【００１８】
このことによって、記録中のキャリッジには負荷をかけることなく、該キャリッジの往復移動と前記規制部の進退移動とを簡単な機械的構成によって連動させることができる。また、記録中のキャリッジに負荷がかからないことによって、記録時の静穏性の低下を抑制できる。
【００１９】
本発明の第５の態様に係る記録装置は、第４の態様において、前記規制部は、前記進退方向に移動する移動部材と、前記移動部材を前記進退方向に移動可能に保持する保持部材と、を備え、前記付勢部材は、前記移動部材と前記保持部材との間に設けられる引張ばねである、ことを特徴とするものである。
【００２０】
本態様によれば、前記規制部を、前記移動部材と、前記保持部材と、前記引張ばねとによって構成し、前記第４の態様と同様の効果を得ることができる。
【００２１】
本発明の第６の態様に係る記録装置は、第３の態様から第５の態様のいずれかにおいて、請求項３から５のいずれか一項に記載された記録装置において、前記規制部は、該規制部が進出したときに閉状態である開閉部を開方向へ移動させる傾斜面を備えている、ことを特徴とするものである。
【００２２】
本態様によれば、閉じた状態の開閉部に対して前記規制部が進出したときに、前記傾斜面によって前記開閉部を開方向へ移動させることができる。このことによって、前記開閉部が閉状態で記録が開始されたとしても、該開閉部を自動的に開状態にすることができる。
【図面の簡単な説明】
【００２３】
【図１】本発明の一実施例に係る記録装置を表す斜視図。
【図２】図１に示す記録装置において上面カバーと排紙カバーを開いた状態を表す斜視図。
【図３】本発明の一実施例に係る規制部を表す斜視図であり、（Ａ）はが第１の位置に位置するときに状態、（Ｂ）は第２の位置に進出した状態。
【図４】本発明の一実施例に係る記録装置の要部拡大図であり、（Ａ）はキャリッジがＨＰに位置し、規制部が第１の位置にあって排紙カバーが閉じている状態、（Ｂ）はキャリッジがＨＰから移動し、規制部が第２の位置に進出して排紙カバーが開方向に移動した状態。
【図５】本発明の一実施例に係る記録装置において規制部が動作したとき状態を表す図であり、（Ａ）は排紙カバーが閉じている状態、（Ｂ）は規制部の規制動作によって排紙カバーが開いた状態。
【図６】図４に示す規制部を構成する移動部材を表す斜視図。
【図７】本発明の一実施例に係る記録装置のキャリッジの要部拡大図。
【発明を実施するための形態】
【００２４】
以下において、本発明の一実施形態に係る記録装置について、添付図面を参照して説明する。尚、本発明はこれらによって制約されるものではない。
【００２５】
［実施例１］
まず、本発明の一実施例に係る記録装置１の概略について説明する。図１は、本発明の一実施例に係る記録装置１を表す斜視図である。  
記録装置１は図１に示すように、該記録装置１の本体２、本体２の上面部５（図２を参照）を覆う上面カバー３、および本体２の図１における前面（−Ｙ方向側の側面）側に設けられる排紙カバー４によって、その外観が構成されている。  
なお、各図に示すＺ軸の−Ｚ方向は重力方向であり、重力方向側を下方（下部、下面等を含む）、その反対側を上方（上部、上面等を含む）という。
【００２６】
図２は、図１に示す記録装置において上面カバー３と排紙カバー４を開いた状態を表す斜視図である。図２に示すように、上面カバー３および排紙カバー４は、その重力方向下方に設けられたヒンジ部２４[図５（Ｂ）を参照]を回動中心として、本体２に対して開閉可能に設けられている。また、排紙カバー４は、そのＸ軸方向の両側にリブ２５を備えている。
【００２７】
本体２の上面部５には、記録紙等の媒体（図示せず）を供給する媒体供給部６と、操作ボタン類を配置した操作パネル７と、メニューやエラー等の各種情報を表示する液晶ディスプレイ８が設けられている。
【００２８】
本体２の内部には、媒体に記録を行う記録ヘッド２１（図５）を備えたキャリッジ１１（図５）が媒体の搬送方向（−Ｙ方向）と交差する方向（Ｘ軸方向）に往復動するように設けられている。
【００２９】
キャリッジ１１に設けられた記録ヘッド２１と図示を省略するプラテンとの間において、媒体を搬送方向（−Ｙ方向）に所定の搬送量で搬送する動作と、記録ヘッド２１をＸ軸方向に一往復移動させる間に記録ヘッド２１からインクを吐出する動作とを相互に繰り返すことによって、媒体に記録が実行される。非記録状態においては、キャリッジ１１は＋Ｘ方向側の端部側のホームポジションに位置するように構成されている。  
符号９は、本体２の内部に連なる開口部を覆う開口部カバーである。
【００３０】
上面カバー３は、記録装置１を使用しない状態では、図１のように本体２の上面部５全体を覆い、記録装置１の使用時、すなわち記録時には、媒体供給部６に供給する媒体を支持する給紙トレイとして機能する。
【００３１】
本体２の図２における前面である−Ｙ方向側の側面側には、記録後の媒体を排出する媒体排出部１０が設けられている。媒体排出部１０は、本体２の前面から凹陥した位置に設けられている。そして、記録装置１を使用しない状態では、図１に示すように排紙カバー４が媒体排出部１０のカバーとして閉じられ、本体２の前面と排紙カバー４との間にほぼ段差がない状態、所謂、面一になるように構成されている。  
また、排紙カバー４は、記録装置１の使用時、すなわち記録時には、媒体排出部１０にから排出される媒体を支持する排紙トレイとして機能する。
【００３２】
ここで、本実施例の記録装置１は、本体２に対して開閉する開閉部である排紙カバー４が閉じることを規制する規制部１２を備えている。この規制部１２について、本実施例の記録装置１の要部拡大図を用い、さらに詳細に説明する。
【００３３】
図３は、本発明の一実施例に係る規制部１２を表す斜視図であり、（Ａ）はが第１の位置に位置するときに状態、（Ｂ）は第２の位置に進出した状態である。図４は、本発明の一実施例に係る記録装置１の要部拡大図であり、（Ａ）はキャリッジ１１がＨＰに位置し、規制部１２が第１の位置にあって排紙カバー４が閉じている状態、（Ｂ）はキャリッジ１１がＨＰから移動し、規制部１２が第２の位置に進出して排紙カバー４が開方向に移動した状態である。図５は、本発明の一実施例に係る記録装置１において規制部１２が動作したとき状態を表す図であり、（Ａ）は排紙カバー４が閉じている状態、（Ｂ）は規制部１２の規制動作によって排紙カバー４が開いた状態である。図６は、図４に示す規制部１２を構成する移動部材としてのスライダー１３を表す斜視図である。図７は、本発明の一実施例に係る記録装置１のキャリッジ１１の要部拡大図である。
【００３４】
記録装置１において、規制部１２は、キャリッジ１１がホームポジションに位置するときに、排紙カバー４が閉じることを規制しない第１の位置に位置し、キャリッジ１１がホームポジションから移動すると、排紙カバー４が閉じることを規制する第２の位置に進出するように構成される点が特徴である。すなわち、ホームポジションからキャリッジ１１が移動したことをトリガーとして規制部１２による規制動作を行うものである。
【００３５】
まず、規制部１２が進退移動する構成について、図を用いて説明する。  
規制部１２は、図３（Ａ）および図３（Ｂ）に示すように、移動部材としてのスライダー１３と、スライダー１３を図中のＸ軸方向に進退可能に保持する保持部材としてのホルダー１４と、引張ばね１５とによって構成されている。
【００３６】
ホルダー１４は、ネジ孔１９を備え、図４（Ａ）、図４（Ｂ）に示すように、本体２の内部にネジ２０によって固定された状態でスライダー１３を保持するものであり、移動するスライダー１３がキャリッジ１１の往復動方向、すなわち、Ｘ軸方向に進退するように設けられている。  
尚、以下において、規制部１２を構成するスライダー１３が−Ｘ方向に移動することを進出、＋Ｘ方向へ移動することを後退という。
【００３７】
引張ばね１５は、その両端を、スライダー１３側のばね支持部１７と、ホルダー１４側のばね支持部１８によって支持されている。引張ばね１５を引き伸ばす力を加えない場合、引張ばね１５の引っ張り力によってスライダー１３は−Ｘ方向側に進出するように付勢されている［図３（Ｂ）］。一方、引張ばね１５をその引っ張り力に抗して＋Ｘ側に引き伸ばすと［図３（Ａ）］、スライダー１３は＋Ｘ方向側に後退する。
【００３８】
ここで、規制部１２を構成するスライダー１３は、閉状態あるいは閉状態になろうとする排紙カバー４と接触して、排紙カバー４が閉じることを規制する部材である。  
さらに、スライダー１３は、排紙カバー４と接触して実質的に排紙カバー４が閉じることを規制する作用部としての傾斜面１６を備えている。  
図４（Ａ）はキャリッジ１１がホームポジションにある状態を示している。このとき、スライダー１３の傾斜面１６は排紙カバー４が閉じることを規制しない位置（第１の位置）に位置している。スライダー１３が第１の位置にあるときは、傾斜面１６と排紙カバー４とは接触しない。したがって、排紙カバー４は閉状態にすることができる。
【００３９】
一方、図４（Ｂ）はキャリッジ１１がホームポジションから−Ｘ方向に移動した状態を示している。このとき、スライダー１３の傾斜面１６は排紙カバー４が閉じることを規制する位置（第２の位置）に位置している。  
第２の位置は、具体的には、排紙カバー４の開位置と閉位置との間の領域（以下、開閉領域という）にある。傾斜面１６は、開閉領域にある第２の位置において排紙カバー４と接触するので、排紙カバー４を閉じることができない。したがって、排紙カバー４が閉状態になることを防止することができる。
【００４０】
スライダー１３は、引張ばね１５の引っ張り力によってスライダー１３は−Ｘ方向側に進出した図３（Ｂ）の状態で第２の位置に進出し、引張ばね１５をその引っ張り力に抗して＋Ｘ側に引き伸ばした図３（Ａ）の状態で第１の位置に後退するように構成されている。  
そして、スライダー１３は接触部２３（図６）を備えており、キャリッジ１１が記録領域側からホームポジション側（＋Ｘ方向）に移動するときに、接触部２３はキャリッジ１１側の接触部２２（図７）と接触し、キャリッジ１１と一体となって＋Ｘ方向に後退するように構成されている。すなわち、スライダー１３は、ホームポジションに移動するキャリッジ１１によって押された状態で第２の位置に位置する［図４（Ａ）の状態］。
【００４１】
一方、キャリッジ１１がホームポジションから記録領域側（−Ｘ方向）へ移動すると、スライダー１３の接触部２３からキャリッジ１１側の接触部２２が離れる。このことによって、引張ばね１５はフリーになり、その引っ張り力によってスライダー１３は−Ｘ方向側に移動し、第２の位置まで進出する［図３（Ｂ）、図４（Ｂ）の状態］。
【００４２】
以上のように構成することによって、記録中のキャリッジ１１には負荷をかけることなく、キャリッジ１１の往復移動と規制部１２の進退移動とを簡単な機械的構成によって連動させることができる。また、記録中のキャリッジ１１に負荷がかからないことによって、記録時の静穏性を確保することができる。
【００４３】
なお、上記説明において、規制部１２は、スライダー１３とホルダー１４との間に設けられる引張ばね１５によって、第２の位置に進出する方向に付勢されているが、例えば、スライダー１３の＋Ｘ軸側にコイルばねを設け、コイルばねのバネ力によって進出方向に対して押し出す構成としてもよい。この場合も、規制部１２は、コイルばねの付勢力に抗してキャリッジ１１と一体に第１の位置に移動するように構成することができる。
【００４４】
また、規制部１２のスライダー１３において、排紙カバー４と接触して閉じることを規制する部分が傾斜面１６に形成されていることにより、排紙カバー４が閉状態で記録が開始された場合に、キャリッジ１１がホームポジションから記録領域に移動して規制部１２としてのスライダー１３が進出したときに、閉状態の排紙カバー４を開方向へ移動させることができる。  
傾斜面１６は、図３および図４に示すように、排紙カバー４と接触するスライダー１３の先端側が、その進退方向であるＸ軸方向と交差するＹ軸方向に対して幅が狭く、スライダー１３の＋Ｘ方向側へ向かうにしたがって、排紙カバー４側（−Ｙ方向）に幅が増すように形成されている。
【００４５】
閉じた状態の排紙カバー４に対してスライダー１３（規制部１２）が進出すると、スライダー１３の傾斜面１６に排紙カバー４のリブ２５が接触して、排紙カバー４が−Ｙ方向に案内される。このことによって、排紙カバー４を開方向側へ移動させることができる。
【００４６】
ここで、記録装置１の排紙カバー４は、例えば、排紙カバー４側の内側（本体２と対向する側）に設けられた図示しない磁性体と、本体２側に排紙カバー４側を閉じたときに前記磁性体と対応するように設けられたマグネット（図示せず）と、が磁着して、排紙カバー４が閉じた状態で本体２に保持されるように構成される。図４（Ａ）および図５（Ａ）に示すように閉じた状態の排紙カバー４が、図４（Ｂ）のように開方向に移動されて排紙カバー４と本体２との間の磁着が解除されると、排紙カバー４は自重によって自動的に図５（Ｂ）のように完全に開いた状態になる。  
したがって、前記排紙カバー４が閉状態のまま記録が開始されたとしても、排紙カバー４を自動的に開状態にすることができる。
【００４７】
尚、排紙カバー４が閉じた状態で本体２に保持する構成は、前述した磁着する構成に限られない。例えば、排紙カバー４側の内側に突起を設け、本体２側に設けられた係合部に前記突起を係合させて、閉じた排紙カバー４を本体２に保持することもできる。
【００４８】
以上説明した本実施例に記載の記録装置１によれば、キャリッジ１１がホームポジションから移動したことをトリガーとして規制部１２による規制動作を行うので、記録時に確実に排紙カバー４を開くことができる。また、記録中は、規制部１２が常に排紙カバー４が閉まることを規制する第２の位置に進出しているため、記録中に排紙カバー４を故意に手で閉めようとしても閉めることができない。したがって、記録中に排紙カバー４が開いた状態を維持することができる。  
このことによって、記録中に排紙カバー４が閉じてしまい、記録装置１内に記録後の媒体が詰まることを確実に防止することができる。
【００４９】
また、規制部１２をスライダー１３、ホルダー１４、および引張ばね１５を用いた構成としたことにより、規制部１２を構成簡単にして低コスト、且つ省スペースで設けることができる。  
また、キャリッジ１１の往復動と連動させ、機械的構成によって規制部１２を動作を制御するので、排紙カバー４を開くための専用シーケンスを設ける必要がない。
【００５０】
尚、本実施例では、規制部１２の進退方向がキャリッジ１１の往復動方向である場合について説明したが、例えば、同様の排紙カバー４に対して、キャリッジ１１の往復動方向と交差する方向、例えば、Ｙ軸方向に規制部１２が進退して排紙カバー４が閉じることを規制する構成としてもよい。また、開閉部が給紙トレイとして使用される上面カバー３に対して規制部１２を設けることもできる。その場合には、例えば、本体２の上面部５にＺ軸方向に進退する規制部を設ける構成とするとよい。
【００５１】
また、規制部１２の進退方向がキャリッジ１１の往復動方向と異なる場合、キャリッジ１１の動きと規制部１２の動きを機械的構成によって連動させるためには、カムやピニオン等によって移動方向の向きを変える必要があり、構成部材の点数が増えるとともに構成が複雑になる。このような場合には、キャリッジ２がホームポジションから移動したことをセンサー等により検知し、その移動をトリガーとして規制部１２をシーケンス制御によって進退させるようにしてもよい。
【００５２】
尚、本発明は上記実施例に限定されることなく、特許請求の範囲に記載した発明の範囲内で種々の変形が可能であり、それらも本発明の範囲内に含まれるものであることは言うまでもない。
【符号の説明】
【００５３】
１  記録装置、２  本体、３  上面カバー、
４  排紙カバー、５  上面部、６  媒体供給部、
７  操作パネル、８  液晶ディスプレイ、９  開口部カバー、
１０  媒体排出部、１１  キャリッジ、１２  規制部、
１３  スライダー、１４  ホルダー、１５  引張ばね、
１６  傾斜面、１７  ばね支持部、１８  ばね支持部、
１９  ネジ孔、  ２０  ネジ、２１  記録ヘッド、
２２  接触部、２３  接触部
【図１】
2015186850.tif 000003
【図２】
2015186850.tif 000004
【図３】
2015186850.tif 000005
【図４】
2015186850.tif 000006
【図５】
2015186850.tif 000007
【図６】
2015186850.tif 000008
【図７】
2015186850.tif 000009